(57)【要約】【課題】衝撃を効果的に緩和する上で有利な電子機器を提供することにある。【解決手段】電子機器１００の筐体１０の内部には、外ケース１２が組み込まれ、外ケース１２の内部に中間ケース１４が組み込まれ、中間ケース１４の内部にハードディスク装置５０が組み込まれている。ハードディスク装置５０は、付勢手段（コイルスプリング２８及びコイルスプリング３０）により外ケース１２内の中立位置に付勢され、外ケース１２内には液体Ｌが充填されている。電子機器１００の筐体１０が物にぶつかるなどして、長さ方向の衝撃が加わると、中間ケース１４およびケース５２の移動に伴って、液体Ｌが絞り部２２の外周面と孔２６の内周面との間に形成される流路を通ることにより流路抵抗が生じる。【選択図】        図２
2007073105.tif 000002
【特許請求の範囲】
【請求項１】
電子装置が収容室に収容された電子機器であって、
前記収容室は収容室壁面により液密な密閉空間として形成され、
前記電子装置は液密なケースに収容され、
前記収容室には前記ケースを前記密閉空間内の定められた中立位置に付勢する付勢手段が設けられ、
前記密閉空間内で前記ケースの外側の空間に液体が充填され、
前記収容室には、前記ケースが前記収容室壁面に近接した際に前記ケースの部分と協働し前記ケースと前記収容室壁面とで挟まれた前記密閉空間部分に位置する前記液体を他の密閉空間箇所に逃がす流路を形成すると共にこの流路の断面積を前記ケースが前記収容室壁面に近接するにしたがって減少させる絞り部が設けられている、
ことを特徴とする電子機器。
【請求項２】
前記ケースは、厚さ、幅、長さを有する矩形板状に形成され、
前記絞り部は前記ケースの厚さ方向、幅方向、長さ方向にそれぞれ臨ませて設けられていることを特徴とする請求項１記載の電子機器。
【請求項３】
前記収容室に中間ケースが収容され、
前記密閉空間は前記収容室の内部と前記中間ケースの内部とで構成され、
前記中間ケースは前記収容室内に、前記厚さ方向に移動不能にかつ前記幅方向および前記長さ方向において移動可能に配設され、
前記電子装置のケースは前記中間ケース内において前記厚さ方向に移動可能にかつ前記幅方向および前記長さ方向において移動不能に配設され、
前記電子装置のケースは前記中間ケース内において前記付勢手段により前記厚さ方向において中立位置に付勢され、
前記中間ケースは前記収容室内において前記付勢手段により前記電子装置のケースが前記幅方向および前記長さ方向において中立位置に位置するように付勢され、
前記絞り部は、前記収容室と前記中間ケースとに設けられている、
ことを特徴とする請求項２記載の電子機器。
【請求項４】
前記絞り部は、前記幅方向および長さ方向において前記中間ケースに臨む前記収容室壁面に突出形成された複数の凸部と、前記凸部に対応した前記中間ケースの箇所に形成された孔とで構成され、前記中間ケースが前記中立位置から前記幅方向および長さ方向に移動した際に、前記凸部と孔とが近接しそれら凸部の外周面と孔の内周面とで前記流路が形成されると共に前記中間ケースの前記移動にしたがって流路の断面積が減少するように構成され、前記電子装置のケースが前記中立位置から前記厚さ方向に移動した際に、前記電子装置のケースが前記孔上に位置し前記孔で形成される流路の断面積を減少するように構成されていることを特徴とする請求項３記載の電子機器。
【請求項５】
前記凸部は、截頭円錐状に形成され、前記孔の内周面は前記凸部と同軸上で前記凸部が収容される大きさの円錐面で形成されていることを特徴とする請求項４記載の電子機器。
【請求項６】
前記ケースからは、前記電子装置に電気的に接続されたフレキシブル基板が突設され、前記フレキシブル基板は、前記収容室壁面を液密に貫通して前記収容室の外部に引き出されていることを特徴とする請求項１記載の電子機器。
【請求項７】
前記液体は、水またはシリコンオイルであることを特徴とする請求項１記載の電子機器。
【請求項８】
前記電子装置は、情報の記録および／または再生を行なうディスク装置であることを特徴とする請求項１記載の電子機器。
【発明の詳細な説明】
【技術分野】
【０００１】
本発明は電子機器に関する。
【背景技術】
【０００２】
衝撃が加わることで動作に支障をきたしやすいハードディスク装置などの電子装置があり、このような電子装置を備えた電子機器では、電子装置に加わる衝撃を緩和することが必要となる。
このような電子機器として、ハードディスク装置を内蔵し、ハードディスク装置に対して音楽情報の記録および／または再生を行う音楽プレーヤー、あるいは、ハードディスク装置に対して画像情報の記録および／または再生を行う撮像装置などがある。
このような衝撃を緩和する第１の従来技術として、電子機器の筐体内に設けた収容室内にハードディスク装置を収容し、ハードディスク装置のケース外面と収容室内面との間の空間に互いに比重が異なり互いに分離する２種類の液体を封入し、ハードディスク装置を２種類の液体の間で浮かんだ状態で保持することが提案されている（特許文献１参照）。
第１の従来技術では、電子機器に加わった衝撃が２種類の液体で分散されることでハードディスク装置に伝わる衝撃を緩和している。
また、第２の従来技術として、電子機器の筐体内に設けた収容室内にハードディスク装置を収容し、ハードディスク装置のケース外面と収容室内面との間の空間にゲル状の粘性流体を封入するとともに、ケースを収容室内面に設けた弾性部材で保持することが提案されている（特許文献２参照）。
第２の従来技術では、電子機器に加わった衝撃を粘性流体で吸収するとともに、ケース外面と収容室内面の間に形成される空間部分がオリフィスとして機能することで粘性流体の動きをダンパとして機能させている。
【特許文献１】特開平８−２３５８４６号公報
【特許文献２】特開２００１−３５０６２号公報
【発明の開示】
【発明が解決しようとする課題】
【０００３】
しかしながら、第１の従来技術では、比重の異なる２種類の液体の間でハードディスク装置が浮かぶように、２種類の液体とハードディスク装置の比重を設定しなくてはならず、２種類の液体の選定が困難であるばかりでなく、ハードディスク装置の比重を調整しなくてならないことから設計の自由度が極めて制限されるために実現が難しいという問題がある。また、液体による衝撃吸収力は十分とはいえない。
また、第２の従来技術では、第１の従来技術に比べて実現は容易であるものの、粘性流体による衝撃吸収力も液体による衝撃吸収力と同様に十分とはいえない。また、粘性流体の動きをダンパとして機能させることが開示されているものの、オリフィスをどのように構成すれば十分な衝撃吸収力を得られるかについては示されていない。
本発明はこのような事情に鑑みなされたものであり、本発明の目的は、衝撃を効果的に緩和する上で有利な電子機器を提供することにある。
【課題を解決するための手段】
【０００４】
上述の目的を達成するため、本発明は、電子装置が収容室に収容された電子機器であって、前記収容室は収容室壁面により液密な密閉空間として形成され、前記電子装置は液密なケースに収容され、前記収容室には前記ケースを前記密閉空間内の定められた中立位置に付勢する付勢手段が設けられ、前記密閉空間内で前記ケースの外側の空間に液体が充填され、前記収容室には、前記ケースが前記収容室壁面に近接した際に前記ケースの部分と協働し前記ケースと前記収容室壁面とで挟まれた前記密閉空間部分に位置する前記液体を他の密閉空間箇所に逃がす流路を形成すると共にこの流路の断面積を前記ケースが前記収容室壁面に近接するにしたがって減少させる絞り部が設けられていることを特徴とする。
【発明の効果】
【０００５】
本発明によれば、衝撃力の大きさに応じて流路の断面積が変化することで流路抵抗の大きさを変化させることができ、小さい衝撃力から大きい衝撃力までを十分に緩和する上で有利となる。
【発明を実施するための最良の形態】
【０００６】
次に本発明の実施の形態について図面を参照して説明する。
図４（Ａ），（Ｂ）は電子機器１００の斜視図、図５は電子機器１００の構成を示すブロック図である。
図４（Ａ）、（Ｂ）に示すように、本実施の形態において、電子機器１００はデジタルスチルカメラなどの撮像装置であり、電子装置としてのハードディスク装置５０（図５参照）が組み込まれている。
電子機器１００は、外装を構成する筐体１０を有している。
筐体１０の前面右側部寄りの箇所には光学系１０４を収容保持するレンズ鏡筒１０６が設けられている。
筐体１０のレンズ鏡筒１０６の上部箇所には閃光を発光するフラッシュ部１０８などが設けられている。
筐体１０の上端面にはシャッタボタン１１０が設けられている。
筐体１０の後面には、電源のオンオフ、撮影モード、再生モードの切替など種々の操作を行なうための複数の操作スイッチ１１２、１１４、撮像した映像を表示するディスプレイ１１６などが設けられている。
【０００７】
図５に示すように、レンズ鏡筒１０６の後部には、光学系１０４によって結像された被写体像を撮像するＣＣＤやＣＭＯＳセンサなどで構成された撮像素子１１８が配設され、撮像装置１００は、撮像素子１１８から出力された撮像信号に基づいて画像データを生成する画像処理部１２０、前記画像データをディスプレイ１１６に表示させる表示処理部１２２、操作スイッチ１１２,１１４やシャッタボタン１１０の操作に応じて画像処理部１２０、表示処理部１２２、ハードディスク装置５０を制御するＣＰＵなどを含む制御部１２６などを備えている。
制御部１２６は、画像処理部１２０とハードディスク装置５０を制御することにより、画像処理部１２０で生成された画像データをハードディスク装置５０に記録するとともに、ハードディスク装置５０に記録された画像データを読み出して画像処理部１２０に供給し、画像処理部１２０から表示処理部１２２に画像データを供給することでディスプレイ１１６に画像データを表示させる。
【０００８】
次に電子機器１００の構成について詳細に説明する。
図１は第１の実施の形態の電子機器１００の内部構成を示す分解斜視図である。
図２（Ａ）はハードディスク装置５０が収容室１６の定められた中立位置にある状態を示す説明図、（Ｂ）はハードディスク装置が衝撃により長さ方向の一方に移動した状態を示す説明図である。
図３（Ａ）はハードディスク装置５０が収容室１６の定められた中立位置にある状態を示す説明図、（Ｂ）はハードディスク装置が衝撃により厚さ方向の一方に移動した状態を示す説明図である。
図１に示すように、電子機器１００の筐体１０の内部には、外ケース１２が組み込まれ、外ケース１２の内部に中間ケース１４が組み込まれ、中間ケース１４の内部にハードディスク装置５０が組み込まれている。
ハードディスク装置５０は、付勢手段（コイルスプリング２８及びコイルスプリング３０）により外ケース１２内の中立位置に付勢され、外ケース１２内には液体Ｌが充填されている。
液体Ｌとしては、水やシリコンオイルなどを用いることができる。
【０００９】
ハードディスク装置５０は液密なケース５２を備え、ハードディスク装置５０を構成する構成部品がケース５２に収容されている。
ケース５２は、扁平な矩形板状を呈し、厚さと、厚さよりも大きな寸法を有する幅と、幅よりも大きな寸法を有する長さとを有している。
【００１０】
外ケース１２は矩形板状を呈し、その内部に中間ケース１４が収容されるハードディスク装置用収容室１６とプリント基板用収容室１８を備えている。
収容室１６は、矩形板状の底壁１２０２と、底壁１２０２の２つの長辺から起立された２つの長辺側壁１２０４と、底壁１２０２の２つの短辺から起立された２つの短辺側壁１２０６と、２つの長辺側壁１２０４および２つの短辺側壁１２０６の上端を接続する上壁１２０８とを有し、それらの収容室壁面により収容室１６は液密な密閉空間２０として形成されている。
密閉空間２０は、それら底壁１２０２と、２つの長辺側壁１２０４と、２つの短辺側壁１２０６と、上壁１２０８とで形成され、厚さと、厚さよりも大きな寸法を有する幅と、幅よりも大きな寸法を有する長さとを有し、矩形板状を呈している。
図２（Ａ）、（Ｂ）に示すように、２つの長辺側壁１２０４と２つの短辺側壁１２０６には、中間ケース１４の幅方向、長さ方向に臨み中間ケース１４が近接した際に、中間ケース１４の部分と協働して絞りを形成する絞り部２２が複数設けられている。
本実施の形態では、絞り部２２は截頭円錐状の凸部として形成されている。
【００１１】
中間ケース１４は矩形板状を呈し、その内部にハードディスク装置５０が収容される収容室２４を備えている。
本実施の形態では、密閉空間２０は、収容室１６の内部と中間ケース１４の収容室２４とで構成されている。
中間ケース１４は、矩形板状の底壁１４０２と、底壁１４０２の２つの長辺から起立された２つの長辺側壁１４０４と、底壁１４０２の２つの短辺から起立された２つの短辺側壁１４０６と、２つの長辺側壁１４０４および２つの短辺側壁１４０６の上端を接続する上壁１４１０とを有している。
中間ケース１４の収容室２４は、それら底壁１４０２と、２つの長辺側壁１４０４と、２つの短辺側壁１４０６と、上壁１４１０とで形成され、厚さと、厚さよりも大きな寸法を有する幅と、幅よりも大きな寸法を有する長さとを有し、矩形板状を呈している。
中間ケース１４は収容室１６内に、前記厚さ方向に移動不能にかつ前記幅方向および前記長さ方向において移動可能に配設されている。
図３（Ａ）、（Ｂ）に示すように、２つの長辺側壁１４０４と２つの短辺側壁１４０６の絞り部２２に対応する箇所には、孔２６が複数形成されている。孔２６の内周面は絞り部２２と同軸上で絞り部２２が収容される大きさの円錐面で形成されている。
それら孔２６は、中間ケース１４が中立位置から幅方向、長さ方向に移動した際に、絞り部２２と協働し中間ケース１４と収容室壁面とで挟まれた密閉空間２０部分に位置する液体Ｌを他の密閉空間２０箇所に逃がす流路を形成すると共にこの流路の断面積を中間ケース１４が収容室壁面に近接するにしたがって減少させるように構成され、いわゆる絞りを形成するものである。
長辺側壁１２０４と長辺側壁１４０４との間、および、短辺側壁１２０６と短辺側壁１４０６との間には、中間ケース１４を収容室１６内の幅方向および長さ方向の中立位置に付勢するコイルスプリング２８が設けられている。本実施の形態では、ケース５２の中立位置は、収容室１６内の幅方向および長さ方向における中央位置である。
【００１２】
ディスク装置５０のケース５２は中間ケース１４内において前記厚さ方向に移動可能にかつ前記幅方向および前記長さ方向において移動不能に配設されている。
底壁１４０２とケース５２の底面との間、および、上壁１４０８とケース５２の上面との間には、ケース５２を収容室２４内の厚さ方向の中立位置に付勢するコイルスプリング３０が設けられている。本実施の形態では、ケース５２の中立位置は、収容室１６内の厚さ方向における中央位置である。
なお、本実施の形態では、コイルスプリング２８，３０がケース５２を中立位置に付勢する付勢手段を構成している。
本実施の形態では、ケース５２が中立位置からその厚さ方向に移動した際に、孔２６はケース５２と協働し、ケース５２と中間ケース１４壁面（収容室壁面）とで挟まれた密閉空間２０部分に位置する液体Ｌを他の密閉空間２０箇所に逃がす流路を形成すると共にケース５２が孔２６上に移動することでこの流路の断面積をケース５２が中間ケース１４壁面（収容室壁面）に近接するにしたがって減少させるように構成され、いわゆる絞りを形成するものである。
【００１３】
なお、プリント基板用収容室１８は、底壁１２０２の一方の短辺から長さ方向の一方に延出された底壁１２０２の部分と、長辺側壁１２０４が延出された長辺側壁１２０４の部分と、短辺側壁１２０６に対向する側壁１２１０と、上壁１２０８の延長部分とを有している。
プリント基板収容室１８には、画像処理部１２０や制御部１２４が構成されたプリント基板１３０が収容され、短辺側壁１２０６、１４０６に形成された貫通孔を挿通するフレキシブル基板１３２（配線部材）によってプリント基板１３０とハードディスク装置５０が電気的に接続されている。なお、短辺側壁１２０６の貫通孔と配線部材１３２の間はシール部材１３４により液密に閉塞されている。
【００１４】
次に、電子機器１００の動作について説明する。
まず、ハードディスク装置５０の長さ方向に衝撃力が加わる場合について説明する。
図２（Ａ）に示すように、中間ケース１４およびケース５２がコイルスプリング２８，３０によって中立位置に付勢された状態では、対応する絞り部２２と孔２６との間に形成される絞りの開口面積、すなわち液体Ｌの流路の断面積は最大の値となっている。
この状態で、電子機器１００の筐体１０が物にぶつかるなどして、長さ方向の衝撃が加わると、図２（Ｂ）に示すように、中間ケース１４およびケース５２は長さ方向に移動し、長さ方向の一方に位置するコイルスプリング２８は圧縮され、他方に位置するコイルスプリング２８は伸張する。
中間ケース１４およびケース５２の移動に伴って、中間ケース１４の一方の短辺側壁１４０６とこの短辺側壁１４０６に対向する外ケース１２の短辺側壁１２０６との間に位置する液体Ｌが絞り部２２の外周面と孔２６の内周面との間に形成される流路を通って収容室２４内に流入すると同時に、収容室２４内の液体Ｌは中間ケース１４の他方の短辺側壁１４０６の孔２６を通って、中間ケース１４の他方の短辺側壁１４０６とこの短辺側壁１４０６に対向する外ケース１２の短辺側壁１２０６との間へ流出する。
ここで、液体Ｌが絞り部２２の外周面と孔２６の内周面との間に形成される流路を通ることにより流路抵抗が生じる。
そして、中間ケース１４およびケース５２の長さ方向の移動に伴って、中間ケース１４の一方の短辺側壁１４０６の絞り部２２の外周面と外ケース１２の一方の短辺側壁１２０６の孔２６の内周面との間隔が徐々に縮小されるので、流路の断面積が縮小していき流路抵抗が増大していく。
したがって、中間ケース１４およびケース５２の移動量が大きいほど流路の断面積がより縮小され、より大きな流路抵抗が生じ、これにより衝撃力が緩和されることになる。
なお、コイルスプリング２８が圧縮、伸張することによっても衝撃力の一部が緩和される。
衝撃力が緩和された後は、コイルスプリング２８の付勢力によって中間ケース１４およびケース５２は図２（Ａ）の中立位置に復帰される。
なお、幅方向の衝撃力が加わった場合も上述と同様の動作がなされる。
本実施の形態では、ケース５２とともに中間ケース１４が長さ方向および幅方向に一体的に移動しており、絞り部２２は、中間ケース１４を介してケース５２の部分と協働して流路の断面積を減少させる絞りを形成している。
【００１５】
次に、ハードディスク装置５０の厚さ方向に衝撃力が加わる場合について説明する。
図３（Ａ）に示すように、中間ケース１４およびケース５２がコイルスプリング２８，３０によって中立位置に付勢された状態では、ケース５２の面と孔２６との間に形成される絞りの開口面積、すなわち液体Ｌの流路の断面積は最大の値となっている。
この状態で、電子機器１００の筐体１０が物にぶつかるなどして、厚さ方向（下方）の衝撃が加わると、図３（Ｂ）に示すように、中間ケース１４は厚さ方向に移動せずケース５２のみが厚さ方向に移動し、厚さ方向の一方に位置するコイルスプリング３０は圧縮され、他方に位置するコイルスプリング３０は伸張する。
ケース５２の移動に伴って、ケース５２の底面と中間ケース１４の底壁１４０２との間に位置する液体Ｌが孔２６を通って収容室２４から外方に流出すると同時に、収容室２４の外方の液体Ｌが孔２６を通ってケース５２の上面と中間ケース１４の上壁１４０８の間に流入する。
ここで、液体Ｌが孔２６の内周面で形成される流路を通ることにより流路抵抗が生じる。
そして、ケース５２の移動に伴って、ケース５２の下部側面の一部が孔２６の上部に位置し、孔２６の内周面で形成される流路の入口の断面積を減少させ、流路抵抗を増大させる。
流路の入口の断面積は、ケース５２の移動に伴って徐々に縮小し、流路抵抗は増大し、これにより衝撃力が緩和される。
したがって、ケース５２の移動量が大きいほど絞りの流路の断面積がより縮小され、より大きな流路抵抗が生じ、衝撃力が緩和されることになる。
なお、コイルスプリング３０が圧縮、伸張することによっても衝撃力の一部が緩和される。
衝撃力が緩和された後は、コイルスプリング３０の付勢力によって中間ケース１４およびケース５２は図３（Ａ）の中立位置に復帰される。
なお、ケース５２に作用する衝撃力の方向が長さ方向、幅方向、厚さ方向の少なくとも２方向を合成した方向である場合には、それぞれの方向に応じて中間ケース１４とケース５２が移動されることで各流路の断面積が縮小され、長さ方向、幅方向、厚さ方向の少なくとも２方向を合成した方向の衝撃力が緩和されることはもちろんである。
【００１６】
本実施の形態によれば、衝撃力の大きさに応じて流路の断面積が変化することで流路抵抗の大きさを変化させることができ、小さい衝撃力から大きい衝撃力までを十分に緩和する上で有利となる。
詳細に説明すると、電子機器１００の筐体１０に加わる衝撃によってハードディスク装置５０に生じる力積は、ハードディスク装置５０に加わる力Ｆと、その力Ｆが加わっている時間ｔとのＦｔで示される。
したがって、前記絞りの流路の断面積が縮小されて大きな流路抵抗が生じるほど、力
Ｆが加わる時間ｔが長くなることになる。すなわち、力積が同じであれば、時間ｔが長いほど、力Ｆを小さくでき、ハードディスク装置５０に加わる力、すなわち衝撃力をより効果的に緩和することができるのである。
また、従来技術のように比重の異なる２種類の液体の間でハードディスク装置が浮かぶように、２種類の液体とハードディスク装置の比重を設定する必要がないため、設計の自由度を確保する上で有利となる。
【００１７】
なお、ケースが収容室壁面に近接した際にケースの部分と協働しケースと収容室壁面とで挟まれた密閉空間部分に位置する液体を他の密閉空間箇所に逃がす流路を形成すると共にこの流路の断面積を前記ケースが収容室壁面に近接するにしたがって減少させる絞りの構成として従来公知の様々な絞りの構造を用いることができ、絞りの構成は中間ケースを用いた実施の形態の構造に限定されない。
また、実施の形態では、電子装置がハードディスク装置５０である場合について説明したが、電子装置は、例えば、磁気ディスク、光ディスク、光磁気ディスクなどのディスク状記録媒体に対して情報の記録および／または再生を行うディスク装置であってもよく、あるいは、電子装置は、ディスク装置以外の様々なものに適用可能である。
また、実施の形態では、電子機器が撮像装置である場合について示したが、本発明の電子機器はこれに限定されるものではなく、例えば、音楽プレーヤーやノート型パーソナルコンピュータ、あるいは、記録装置などであってもよい。
【図面の簡単な説明】
【００１８】
【図１】実施の形態の電子機器１００の内部構成を示す分解斜視図である。
【図２】（Ａ）はハードディスク装置５０が収容室１６の定められた中立位置にある状態を示す説明図、（Ｂ）はハードディスク装置が衝撃により長さ方向の一方に移動した状態を示す説明図である。
【図３】（Ａ）はハードディスク装置５０が収容室１６の定められた中立位置にある状態を示す説明図、（Ｂ）はハードディスク装置が衝撃により厚さ方向の一方に移動した状態を示す説明図である。
【図４】（Ａ），（Ｂ）は電子機器１００の斜視図である。
【図５】電子機器１００の構成を示すブロック図である。
【符号の説明】
【００１９】
１２……外ケース、１６……収容室、２０……密閉空間、２８、３０……コイルスプリング、５０……ハードディスク装置、５２……ケース、１００……電子機器、Ｌ……液体。
【図１】
2007073105.tif 000003
【図２】
2007073105.tif 000004
【図３】
2007073105.tif 000005
【図４】
2007073105.tif 000006
【図５】
2007073105.tif 000007